(57)【要約】【課題】雨仕舞の設置を容易にする。【解決手段】実施形態に係るタンクピットの雨仕舞は、タンクピット内のタンクの周囲に設置されている雨除けとタンクの側面との間の隙間を塞ぐタンクピットの雨仕舞であって、上端部がタンクピットに設置されているタンクの側面に取り付けられ、タンクの側面と雨除けとの間の隙間を覆うように配置される防水シートを有する。【選択図】図２
2020001776.tif 000002
【特許請求の範囲】
【請求項１】
タンクピット内のタンクの周囲に設置されている雨除けと前記タンクの側面との間の隙間を塞ぐタンクピットの雨仕舞であって、
上端部が前記タンクピットに設置されているタンクの側面に取り付けられ、前記タンクの側面と前記雨除けとの間の隙間を覆うように配置される防水シート、
を有するタンクピットの雨仕舞。
【請求項２】
上端部がタンクピットに設置されているタンクの側面に取り付けられ、前記タンクの側面と前記タンクピットの側壁との間の隙間を覆うように配置される防水シートを有する、
タンクピットの雨仕舞。
【請求項３】
前記防水シートは、前記タンクの周囲に巻回して配置された複数のシートと、前記シートそれぞれの間の隙間を塞ぐパッチシートから構成されている、
請求項１または２に記載のタンクピットの雨仕舞。
【請求項４】
複数の前記シートの形状が矩形である、
請求項３に記載のタンクピットの雨仕舞。
【請求項５】
前記シートは、ゴムを使用した素材で形成されている、
請求項３または４に記載のタンクピットの雨仕舞。
【請求項６】
前記シートは、発砲ゴムで形成されている、
請求項３から５の何れか一項に記載のタンクピットの雨仕舞。
【請求項７】
前記タンクの側面に配置された前記防水シートを介して前記タンクに巻回され、前記防水シートを前記タンクの側面に固定する取付具を有する、
請求項１から６の何れか一項に記載のタンクピットの雨仕舞。
【請求項８】
前記取付具は、バンドである、
請求項７に記載のタンクピットの雨仕舞。
【請求項９】
タンクピットに設置されているタンクの側面に、雨水を前記タンクピットの外側に導く防水シートを配置する工程と、
取付具を使用して、前記タンクの側面に配置された前記防水シートを前記防水シートの周囲から締め付けることにより前記防水シートを前記タンクの側面に固定する工程と、
を含むタンクピットの雨仕舞の設置方法。
【発明の詳細な説明】
【技術分野】
【０００１】
本発明は、タンクピットの雨仕舞、及びタンクピットの雨仕舞の設置方法に関する。
【背景技術】
【０００２】
大容量のタンクは、腐食等によりタンクの底部または底部側周壁部から貯蔵される液体の漏えいを考慮して、タンクピットの中に設置される。この種のタンクピットが屋外に設置されると、タンクピットの内部に雨水が進入し、タンクピットが本来の機能を発揮することができなくなる。
【０００３】
タンクピットへの雨水の侵入を防止するために、タンクピット全体をタンクとともに屋根等で覆う方法が考えられる。しかし、タンクピット全体を収容する建造物を設置するには巨額の費用と多くの時間が必要になる。そこで、タンクの周りに簡易的な屋根等を設置して、タンクピットを覆う対策が考えられている。しかし、円形を主形状とするタンクに対し、屋根等をタンクの周囲に隙間なく設置するのは困難である。そこで、屋根とタンクの隙間を水密するための雨仕舞が種々検討されている。
【先行技術文献】
【特許文献】
【０００４】
【特許文献１】実開平３−１７５９６号公報
【発明の概要】
【発明が解決しようとする課題】
【０００５】
しかしながら、タンクピットに設置されている複数のタンクは、高さ及び外形が同一形状でない場合もある。このため、タンクの高さや外径に関わらず、容易に設置が可能な雨仕舞が要求されている。
【０００６】
本発明は、上述の事情の下になされたもので、雨仕舞の設置を容易に行うことを課題とする。
【課題を解決するための手段】
【０００７】
上記課題を解決するため、実施形態に係るタンクピットの雨仕舞は、タンクピット内のタンクの周囲に設置されている雨除けとタンクの側面との間の隙間を塞ぐタンクピットの雨仕舞であって、上端部がタンクピットに設置されているタンクの側面に取り付けられ、タンクの側面と雨除けとの間の隙間を覆うように配置さる防水シートを有する。
【図面の簡単な説明】
【０００８】
【図１】タンクピットについて説明するための平面図である。
【図２】第１の実施形態に係るタンクピットの部分側面図である。
【図３】第１の実施形態に係る防水シートについて説明するための図である。
【図４】第１の実施形態に係る防水シートについて説明するための図である。
【図５】第１の実施形態に係る防水シートの設置方法について説明するための図である。
【図６】第２の実施形態に係るタンクピットの雨仕舞について説明するための図である。
【図７】第３の実施形態に係るタンクピットの雨仕舞について説明するための図である。
【図８】第４の実施形態に係るタンクピットの雨仕舞の防水シートについて説明するための図である。
【図９】第４の実施形態に係るタンクピットの雨仕舞の防水シートについて説明するための図である。
【発明を実施するための形態】
【０００９】
（第１の実施形態）
以下、第１の実施形態に係るタンクピットの雨仕舞について、図を参照して説明する。図１は、タンクピット２の平面図である。ただし、後述する雨除けや防水シート等の雨仕舞は記載されていない。図２は、タンクピットの部分側面図である。
【００１０】
タンクピット２は、タンク１が破損した場合に、タンク１から漏れ出た液体をタンクピット２内に溜めることにより、液体が施設の外部に流出しないようにするための設備である。タンクピット２は、地面Ｇを掘って基礎４を形成し、基礎４の周囲にせき３を形成して設置されている。せき３の高さは、例えば、１ｍである。基礎４の広さは、設置されるタンク１の数及びタンク１の大きさによって決まる。タンクピット２には、複数のタンク１が設置されている。タンク１の高さ及び形状は様々である。例えば、タンク１の高さは１２ｍ程度であり、タンク１の外周の長さは３６ｍ程度である。
【００１１】
図２に示されるように、タンクピットに設置されているタンク１の周囲には、柱５、雨除け６が設置されている。
【００１２】
雨除け６は、タンクピット２の上に降った雨水をタンクピット２の外側に導く。雨除け６は、例えば、トタン、テント生地、塩化ビニール系の樹脂等で形成された簡易的な屋根である。柱５は、雨除け６を支える柱である。柱５は、鉄パイプ等の鋼材で形成されている。柱５は、基礎４及びせき３の外側の地面Ｇに立設される。せき３の高さが１ｍである場合、柱５の長さは、例えば、０．７ｍから３ｍ程度である。柱５それぞれの長さは、雨除け６が適度の傾きを有することができるような長さに形成されている。柱５と雨除け６とは、取付金具、ボルト、ナット等を使用して結合されている。つまり、柱５と雨除け６は、短時間で設置可能な構造になっている。なお、強度を増すために、鉄パイプ等を使用して柱５相互間を適宜接続するようにしてもよい。また、柱５をせき３に固定するようにしてもよい。また、柱５は、木材で形成されていてもよい。さらに、柱５は、タンクピット２内にのみ設けるようにしてもよい。
【００１３】
複数のタンク１は円柱形状であり、タンク１それぞれの高さ及び形状は異なっている。雨除け６をタンク１の周囲に隙間なく設けることは困難である。特に、タンク１が円柱形状である場合には一層困難である。したがって、タンク１の側面と雨除け６との間に隙間７ができてしまう。隙間７の幅は、例えば、１０ｃｍ〜３０ｃｍ程度である。なお、雨除け６は図１における各タンク１の周囲に設けられ、前記隙間７を除いて、タンクピット２全体を覆っている。
【００１４】
実施形態に係るタンクピットの雨仕舞１００は、タンク１の側面と雨除け６との間にできた隙間７を覆い、タンクピット２内に雨水が流入しないようにするための設備である。実施形態に係るタンクピットの雨仕舞１００は、防水シート１０と取付具２０とを有する。
【００１５】
防水シート１０は、タンク１の側面に取り付けられ、タンク１の側面と雨除け６との間の隙間７に降り込む雨水およびタンク１の表面を伝って流れる雨水を雨除け６の上に導く。図２に示されるように、防水シート１０の一端（上端側）は、後述する取付具２０でタンク１の側面に固定される。防水シート１０の他端（下端側）は、雨除け６の上面に配置される。防水シート１０の他端（下端側）を雨除け６にボルト等で固定してもよい。
【００１６】
図３に、防水シート１０の構成図を示す。図３に示されるように、防水シート１０は、タンク１の周囲に巻回して配置される複数のシート１０ａと、シート１０ａそれぞれの間の隙間を塞ぐパッチシート１０ｂから構成されている。ここでは、防水シート１０が４枚のシート１０ａで構成されている場合について説明する。各シート１０ａは、矩形に形成されている。各シート１０ａの短手方向の長さＬ２は、例えば１ｍである。シート１０ａの厚さは、例えば、０．５ｃｍ〜５ｃｍ程度である。４枚のシート１０ａの長手方向の長さを足した長さＬ１は、タンク１の外周と同じ長さである。なお、４枚のシート１０ａの長手方向の長さが同じ長さである必要はない。各シート１０ａの下端部近傍には、シート１０ａと雨除け６とを固定する際に使用する複数の穴１０ｃが設けられている。パッチシート１０ｂは、シート１０ａとシート１０ａとの間にできる隙間を塞いで水密性を高めるために使用するシートである。
【００１７】
シート１０ａは、柔軟性、弾力性、水密性、耐久性が高く、軽量な素材で形成されている。例えば、シート１０ａは、ゴム製のシートで形成されている。好ましくは、シート１０ａは、軽量で水密性の高い発砲ゴムで形成されている。パッチシート１０ｂは、例えばシート１０ａと同じ素材で形成されているが、異なる素材で形成されていてもよい。
【００１８】
取付具２０は、タンク１の側面に配置された防水シート１０（４枚のシート１０ａ）を介してタンク１に巻回され、防水シート１０をタンク１の側面に固定する取付具である。例えば、取付具２０はバンドであり、好ましくはラチェット式ポールバンドである。具体的には、取付具２０は、ステンレス製の帯状のバンドと、締め付け金具から構成されている。バンドの長さは、タンク１の外周の長さＬ１よりも長い。
【００１９】
（取付手順）
次に、タンク１の側面に防水シート１０を取り付ける作業手順の一例について説明する。柱５及び雨除け６は既に設置されていることとする。ここでは、防水シート１０にドラムに巻かれた幅１ｍの市販されているゴムシートを使用し、取付具２０に市販されているラチェット式ポールバンドを使用する場合について説明する。
【００２０】
最初に、対象とするタンク１の外周の長さＬ１を測定する。ここでは、外周の長さＬ１が約３６ｍであるとする。次に、ドラムに巻かれたゴムシートを９ｍの長さごとに切断し、４枚のシート１０ａを作成する。シート１０ａの寸法は、縦１ｍ、横９ｍである。ここでは、防水シート１０を４枚のシート１０ａで構成する場合について説明するが、シート１０ａの枚数は、ゴムシートの重さ、弾力性、隙間７の幅等によって決める。枚数を増やすと１枚のシート１０ａの重量が軽くなり、シート１０ａを雨除け６に固定する作業が容易になる。一方、シート１０ａ間を接続するパッチシート１０ｂの枚数が増え、接続作業時間等が増える。
【００２１】
次に、各シート１０ａの上端が同一円周上に揃うように、４枚のシート１０ａをタンク１の周りに配置する。具体的には、雨除け６のタンク１に近接する端部から基礎４の表面までの高さが３ｍ、隙間７の幅が約３０ｃｍ、防水シート１０の短手方向の長さＬ２が１ｍ、雨除け６の上面に配置するシート１０ａの長さを約３０ｃｍとした場合、基礎４の表面から約３．４ｍの位置にシート１０ａの上端が揃うように配置する。このとき、接着剤を使用してシート１０ａの上端部をタンク１の側面に固定してもよい。接着剤を使用してシート１０ａの上端部をタンク１の側面に固定することにより、タンク１とシート１０ａ間の水密性を高めることができる。
【００２２】
次に、自重でシート１０ａの位置がずれないように、各シート１０ａを穴１０ｃを使用して雨除け６に固定する。これにより、取付具２０を用いて防水シート１０をタンク１に取り付ける際、複数のシート１０ａを抑えながら作業する必要がなくなり、作業効率を上げることができる。
【００２３】
タンク１と雨除け６との間には隙間７があるので、タンク１の側面と雨除け６に固定された防水シート１０は、上辺の長さＬ１より下辺の長さを長くする必要がある。例えば、タンク１の半径が６ｍであり、隙間７の幅が１０ｃｍである場合、上辺の長さＬ１は約３７．７ｍ（２π×６ｍ）となる。下辺の長さは約３８．３ｍ（２π×６．１ｍ）となる。したがって、下辺の長さを上辺の長さＬ１よりも約６０ｃｍ長くする必要がある。シート１０ａは、弾力性があるので伸ばすことができる。例えば、シート１０ａ間に隙間を生じないようにシート１０ａの下端側を伸ばした状態で、穴１０ｃを使用してシート１０ａを雨除け６に固定する。
【００２４】
次に、シート１０ａ間をパッチシート１０ｂで接続する。シート１０ａとシート１０ａの間に雨水が流れ込むことを防止するためである。耐候性、耐久性に優れた接着剤を使用してシート１０ａとパッチシート１０ｂとを接続する。図４に示されるように、シート１０ａ間に隙間がある場合でも、パッチシート１０ｂにより隙間を無くすことができ、水密性を確保することができる。
【００２５】
次に、タンク１の周囲に配置した防水シート１０の上から取付具２０のステンレス製の帯状のバンドを巻き付ける。バンドを巻き付ける位置は、防水シート１０の上端近傍（例えば、１ｃｍ〜５ｃｍ）が望ましい。バンドの一端には締め付け金具が設けられており、巻き付けたバンドの他端を締め付け金具に通し、所定の長さでバンドを切断する。
【００２６】
次に、締め付け金具を操作して、バンドを締め付ける。防水シート１０は弾力性があるので、帯状のバンドは防水シート１０に食い込み、防水シート１０は、タンク１に密着して固定される。
【００２７】
図５に、周囲に防水シート１０及び取付具２０を取り付けらてたタンク１の平面図を示す。取付具２０を示す部分に斜線を施してある。防水シート１０の周囲は、雨除け６である。シート１０ａそれぞれは、取付具２０によりタンク１の周囲に密着して固定されている。シート１０ａ間はパッチシート１０ｂにより水密に接続されている。４枚のシート１０ａにより、タンク１と雨除け６の間の隙間７は塞がれている。
【００２８】
以上の作業を複数のタンク１それぞれに対して行う。タンク１それぞれの形状が異なっている場合でもシート１０ａの長手方向の寸法を変えるだけで対応できる。また、タンク１の側面に防水シート１０を取り付けるので、タンク１の高さが異なっている場合でもシート１０ａの寸法を変える必要はない。したがって、タンク１の形状が様々である場合でも、現地で対応可能であり、また現地での作業が容易である。
【００２９】
（作用）
次に、タンクピットの雨仕舞１００によって、タンクピット２の上に降った雨水がタンクピット２の外側に導かれる仕組みについて説明する。
【００３０】
図２を参照してわかるように、タンク１に降りかかった雨水は、タンク１の側面を伝って流れ落ちる。タンク１の側面には、防水シート１０が密着して取り付けられている。したがって、タンク１の側面を伝って流れ落ちた雨水は、タンク１の側面と防水シート１０との間に流れ込むことはない。雨水は、防水シート１０を伝って、雨除け６の上に流れ、雨除け６を伝ってタンクピット２（せき３）の外側に導かれる。タンク１と雨除け６との間の隙間７の上に降った雨水は、防水シート１０を伝って、雨除け６の上に流れ、雨除けを伝ってタンクピット２（せき３）の外側に導かれる。したがって、タンクピット２内に雨水が流入することを防止でき、タンクピット２本来の機能を維持することができる。
【００３１】
なお、上記の説明では、シート１０ａの形状が矩形である場合について説明したが、シート１０ａの形状を台形にしてもよい。
【００３２】
（第２の実施形態）
第１の実施形態の説明では、防水シート１０を１個の取付具２０でタンク１に固定する場合について説明した。しかし、図６に示されるように、複数の取付具２０を使用して、防水シート１０をタンク１に固定してもよい。防水シート１０の重さ、防水シート１０に加わる風力、防水シート１０の強度、取付具２０の強度等を考慮して、使用する取付具２０の個数を決めればよい。
【００３３】
また、タンク１の側面の適度な位置に凹部がある場合、その凹部を利用して取付具２０を取り付けると、取付具２０が下方にずれにくくすることができる。また、タンク１と防水シート１０との水密性を高めることができる。
【００３４】
また、図６に示されるように、タンク１の側面にコーキング材２１を施し、コーキング材２１を利用して取付具２０を取り付けるようにしても同様の効果を得ることができる。
【００３５】
（第３の実施形態）
第３の実施形態では、図７に示されるように、雨除け６が無い場合について説明する。この場合、防水シート１０のタンク１の側面に固定されていない下端側がせき３の外側に垂れさがるように防水シート１０を配置する。
【００３６】
タンク１の側面を伝って落ちてくる雨水及び隙間７の上に降った雨水は、防水シート１０によってタンクピット２（せき３）の外側に導かれる。したがって、タンクピット２内に雨水が流入することを防止でき、タンクピット２本来の機能を維持することができる。
【００３７】
（第４の実施形態）
第１の実施形態では、矩形の４枚のシート１０ａで防水シート１０を構成する説明をしたが、シート１０ａの形状を矩形に限定する必要はない。例えば、図８に示されるように、シート１０ａの形状を扇型にしてもよい。
【００３８】
シート１０ａの形状を扇型にすることにより、シート１０ａを雨除け６に固定する際、シート１０ａを伸ばして固定する必要がなくなる。一方、タンク１の半径が６ｍ近くあるので、扇型のシート１０ａを作成するためには６ｍ四方のゴムシートが必要となり、市販のゴムシートでシート１０ａを作成することが困難になる。したがって、製造コストが高くなるというデメリットがある。
【００３９】
シート１０ａの形状を扇型にする場合、図９に示されるように、必要に応じでスリット１０ｄを設けてもよい。図９に示す点線付近でシート１０ａを折り曲げることにより、シート１０ａを雨除け６に密着して固定しやすくなる。
【００４０】
以上に説明したように、本実施形態に係るタンクピットの雨仕舞１００は、タンクピット２に設置されているタンク１の側面に取り付けられ、タンクピット２の上に降った雨水をタンクピット２の外側に導く防水シート１０を有する。これにより、タンクピットの雨仕舞１００は、雨水がタンクピット２に流入することを防止することができる。
【００４１】
また、防水シート１０をタンク１の側面に取り付けるので、タンク１の高さが高い場合でも、防水シート１０の大きさを変える必要がない。また、タンク１の高さが例えば１２ｍと高い場合であっても、防水シート１０の取付は例えば３．４ｍ程度の低い箇所で行うことができる。このように、タンク１の高さの１／４ないし１／３の箇所で取付け作業を行えるので、作業の安全化、簡単化を図ることができる。したがって、タンクピットの雨仕舞１００を安価に製造することができるとともに、雨仕舞の設置を容易に行うことをができ、現地での設置時間を短縮することができる。
【００４２】
防水シート１０は、複数のシート１０ａと、シート１０ａそれぞれの間の隙間を塞ぐパッチシート１０ｂから構成されている。これにより、シート１０ａ相互間の水密度を高めることができる。また、シート１０ａを矩形にした場合、市販のゴム製のシートでシート１０ａを形成することができるので、タンクピットの雨仕舞１００を安価に製造することができる。
【００４３】
防水シート１０は、ゴム製のシートで形成されているので、防水効果が高い。
【００４４】
防水シート１０の素材として発泡ゴムを使用した場合、防水シート１０を軽量化することができる。これにより、タンクピットの雨仕舞１００は、取付具２０に加わる負荷を軽減することができる。また、防水シート１０が軽くなるので雨仕舞の設置を容易に行うことができ、作業時間を短縮することができる。
【００４５】
取付具２０を使用して、タンク１の側面に配置された防水シート１０を周囲から締め付けることにより防水シート１０をタンク１の側面に固定する。これにより、タンク１の側面に防水シート１０を密着した状態で固定することができる。
【００４６】
取付具２０としてバンド好ましくはラチェット式ポールバンドを使用した場合、バンドの締め付けが容易である。したがって、タンク１の側面に防水シート１０を取り付ける作業時間を短縮することができる。また、ラチェット式ポールバンドは市販されているので、タンクピットの雨仕舞１００の製造費用を低減することができる。
【００４７】
なお、上述したタンク１に防水シート１０を取り付ける作業手順は一例であり、これに限定する必要はない。例えば、タンク１の周囲に４枚のシート１０ａを配置し、シート１０ａをタンク１の側面に垂れ下げた状態でシート１０ａの上端部をタンク１の側面に接着剤で固定する。取付具２０で防水シート１０をタンク１の側面に固定する。シート１０ａのタンク１に固定されていない側の端をまくり上げて雨除け６の上面に配置し、穴１０ｃを利用してシート１０ａを雨除け６に固定する。４枚のシート１０ａを固定した後、シート１０ａ間をパッチシート１０ｂで接続する。このような作業手順としてもよい。
【００４８】
また、上記では、取付具２０を用いて防水シート１０をタンク１に固定する説明をしたが、取付具２０を使用しなくてもよい場合もある。例えば、防水シート１０が軽量である場合、接着剤で防水シート１０をタンク１の側面に張り付けるだけでよい場合もある。また、防水シート１０の強度が高い場合、雨除け６に防水シート１０を固定するだけで、防水シート１０を安定した状態で設置することができる場合もある。ただし、この場合でも、水密性を確保するために、防水シート１０の上端部とタンク１の側面とをコーキング材等で接着することが望ましい。
【００４９】
以上、本発明の実施形態を説明したが、これらの実施形態は、例として提示したものであり、発明の範囲を限定することは意図していない。これら新規な実施形態は、その他の様々な形態で実施しうるものであり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５０】
１…タンク
２…タンクピット
３…せき
４…基礎
５…柱
６…雨除け
７…隙間
１０…防水シート
１０ａ…シート
１０ｂ…パッチシート
１０ｃ…穴
１０ｄ…スリット
２０…取付具
２１…コーキング材
１００…タンクピットの雨仕舞
【図１】
2020001776.tif 000003
【図２】
2020001776.tif 000004
【図３】
2020001776.tif 000005
【図４】
2020001776.tif 000006
【図５】
2020001776.tif 000007
【図６】
2020001776.tif 000008
【図７】
2020001776.tif 000009
【図８】
2020001776.tif 000010
【図９】
2020001776.tif 000011